(57)【要約】【課題】  加工装置を用いて形材の両端部分や中間部分の切欠等の切削加工を行う場合、その切削加工等に使用される加工装置は一般的に高額な工作機械であり、その設備投資を避けることが望まれていた。【解決手段】  内外障子１０，１１は、形材の長手方向の交差面２２において、その寸法のみが加工されると共に、前記形材の長手方向に沿ってタッピングホール２３が形成されている左右框２０，２１と、形材の交差面３２において、その寸法のみが加工されると共に、前記形材の長手方向に沿ってタッピングホール３３が形成されている上下框３０，３１と、左右框２０，２１の各上端と上框３０の各端部をそれぞれ接続する第１及び第２のコーナーブロック４０，４１と、左右框２０，２１の各下端と下框３１の各端部をそれぞれ接続する第３及び第４のコーナーブロック４２，４３とを備えており、前記各形材の端部等において、切欠やネジ孔が加工されることはない。【選択図】        図１
2018003397.tif 000002
【特許請求の範囲】
【請求項１】
形材の長手方向に交差する面において、その寸法のみが加工された左右の縦框と、形材の長手方向に交差する面において、その寸法のみが加工された上下の横框と、上横框と左右縦框を接続する各コーナーブロックと、下横框と左右縦框を接続する各コーナーブロックとを備えた障子。
【請求項２】
前記上下横框には、それぞれ左右縦框に呑み込まれる段部が、その長手方向に形成されていることを特徴とする請求項１に記載の障子。
【請求項３】
前記下横框には、戸車に設けられているスライド片をスライドさせる取付ヒレが、その長手方向に形成されていることを特徴とする請求項１に記載の障子。
【請求項４】
前記左右縦框には、障子に固定されるガラスの端部を保持する保持部材が配置されていることを特徴とする請求項１に記載の障子。
【請求項５】
前記左右縦框には、その自由端が広がることを防止する規制金具が配置されていることを特徴とする請求項１に記載の障子。
【請求項６】
形材の長手方向に交差する面において形材の寸法のみが加工された左右縦框と、形材の長手方向に交差する面においてその寸法のみが加工された上横框とが各コーナーブロックにより接続され、前記左右縦框と形材の長手方向に交差する面においてその寸法のみが加工された下横框とが各コーナーブロックにより接続されることを特徴とする障子の組付構造。
【請求項７】
左右の縦框として、形材の長手方向に交差する面において形材の寸法のみを加工し、
上下の横框として、形材の長手方向に交差する面において形材の寸法のみを加工し、
上横框にコーナーブロックを固定すると共にそのコーナーブロックに左右の縦框を固定し、又は、下横框にコーナーブロックを固定すると共にそのコーナーブロックに左右の縦框を固定することを特徴とする障子の組付方法。
【発明の詳細な説明】
【技術分野】
【０００１】
本願発明は、建物の開口部に配置される障子及びその組付構造並びにその組付方法に関する。
【背景技術】
【０００２】
建物の開口部の内外に配置される内外障子は、それぞれ上下框、左右縦框及びこれらの框に固定されるガラス板等から構成される。
これらの障子を組み立てる場合には、上下框のそれぞれの端部と、左右縦框のそれぞれの端部とを当接させて四周を連続させるために、上下框及び／又は左右縦框のそれぞれの端部に切欠を加工したり、孔明加工を行っていた。
【０００３】
例えば、特許文献１では「前記召合せ框５は第２図に示すように・・・室内側板１０と室外側板１１と内側板１２と外側板１３で中空部１４と内向凹部１５を有し・・・内側板１２と外側板１３の上下端側に切欠き１７，１８がそれぞれ形成され・・・」の記載が見られ（同文献第２頁第３欄第１０行〜第１３行）、第１図には前記召合せ框５の切欠き１７が図示されている。
【０００４】
また、同文献には、「第２図に示すように召合せ框５の内向凹部１５内に横框７の端部を嵌合してビス等で連結され・・・」の記載が見られ（同文献第２頁第３欄下から第２行〜第１行）、第１図及び第４図等には、前記召合せ框５の室内側板１０と室外側板１１に、前記横框７を呑み込むための切欠き（符号なし）が図示されている。
【先行技術文献】
【特許文献】
【０００５】
【特許文献１】実公平７−３８６２６号公報
【０００６】
このような従来例の障子の構成及びこれに対応する組付構造及び組付方法の課題を列挙すれば次の通りである。
（１）  形材の切欠加工及び孔明加工は、手間のかかるもので、しかも精度よく加工するには熟練を要していた。
（２）  （１）の課題は、形材の工場出荷時に、加工装置を用いて形材等の加工材の両端部分や中間部分の切欠や孔明け等の切削加工を行うことで解消できるが、その切削加工等に使用される加工装置は一般的に高額な工作機械であり、その設備投資を検討する必要があった。
（３）  工場出荷時に加工された形材が、建物の施工現場の開口部の寸法変更等により形材の寸法を短くする必要が生じた場合、その寸法を切断加工した後に、再び切欠き等を形成する必要があった。
【発明の概要】
【発明が解決しようとする課題】
【０００７】
そこで、本願発明は、形材の切欠加工及び孔明加工が不要であり、障子の組付けに、熟練を要することなく、また、形材の加工装置は、形材の切断の仕様のみとし、切削加工や孔明加工のための高価な加工装置のための設備投資を不必要として、さらに建物の施工現場において、開口部の寸法変更等により形材の寸法を短くする必要が生じた場合、その寸法を切断加工するのみで足り、再び切欠き等を形成する必要がない障子、その組付構造及び組付方法を提供することを目的とする。
【課題を解決するための手段】
【０００８】
上記課題を解決するため、本願発明に係る障子は、形材の長手方向に交差する面において、その寸法のみが加工された左右の縦框と、形材の長手方向に交差する面において、その寸法のみが加工された上下の横框と、上横框と左右縦框を接続する各コーナーブロックと、下横框と左右縦框を接続する各コーナーブロックとを備えた障子とした（請求項１に記載の発明）。
【０００９】
上記課題を解決するため、本願発明に係る障子の組付構造は、形材の長手方向に交差する面において形材の寸法のみが加工された左右縦框と、形材の長手方向に交差する面においてその寸法のみが加工された上横框とが各コーナーブロックにより接続され、前記左右縦框と形材の長手方向に交差する面においてその寸法のみが加工された下横框とが各コーナーブロックにより接続される構造となっている（請求項６に記載の発明）。
【００１０】
上記課題を解決するため、本願発明に係る障子の組付方法は、左右の縦框として、形材の長手方向に交差する面において形材の寸法のみを加工し、上下の横框として、形材の長手方向に交差する面において形材の寸法のみを加工し、上横框にコーナーブロックを固定すると共にそのコーナーブロックに左右の縦框を固定し、又は、下横框にコーナーブロックを固定すると共にそのコーナーブロックに左右の縦框を固定する組付方法とした（請求項７に記載の発明）。
【００１１】
上下の横框には、左右の縦框に呑み込まれる段部が、その長手方向に形成されていることを特徴とする障子とした（請求項２に記載の発明）
【００１２】
前記下横框には、戸車に設けられているスライド片をスライドさせる取付ヒレが、その長手方向に形成されていることを特徴とする障子とした（請求項３に記載の発明）。
【００１３】
左右の縦框には、障子に固定されるガラスの端部を保持する保持部材が配置されていることを特徴とする障子とした（請求項４に記載の発明）。
【００１４】
左右の縦框には、その自由端が広がることを防止する規制金具が配置されていることを特徴とする障子とした（請求項５に記載の発明）。
【発明の効果】
【００１５】
本願発明によれば、形材の切欠加工及び孔明加工が不要であり、障子の組付けに、熟練を要することなく、また、形材の加工装置は、形材の切断の仕様のみとし、切削加工や孔明加工のための高価な加工装置のための設備投資を不必要として、さらに建物の施工現場において、開口部の寸法変更等により形材の寸法を短くする必要が生じた場合、その寸法を切断加工するのみで足り、再び切欠き等を形成する必要がない障子、その組付構造及び組付方法を提供することができる。
【図面の簡単な説明】
【００１６】
【図１】内外障子の中央横断面図、
【図２】同中央縦断面図、
【図３】内障子を左右縦框、上下框及び各コーナーブロックに分解した場合の斜視図、
【図４】内障子の組付図、
【図５】内障子の図４に示したＡ−Ａ線矢視組付図、
【図６】同Ｂ−Ｂ線矢視組付図、
【図７】（１）  同Ｃ−Ｃ線矢視断面図、（２）  内障子の側面図、
【図８】第１のコーナーブロックの斜視図、
【図９】（１）〜（５）第２のコーナーブロックの正面図、平面図、底面図、側面図及び背面図、
【図１０】第２のコーナーブロックによる上框と縦框の組付状態を示す斜視図、
【図１１】外障子の組付図、
【図１２】外障子の図１１に示したＤ−Ｄ線矢視組付図、
【図１３】同Ｅ−Ｅ線矢視組付図、
【図１４】同Ｆ−Ｆ線矢視断面図、
【図１５】ガラスの固定構造を示す縦框の要部断面図、
【図１６】（１）及び（２）  ガラス溝幅の広がり防止構造を示す縦框の要部断面図、
【図１７】組付方法を示す手順説明図である。
【発明を実施するための形態】
【００１７】
本願発明に係る障子は、例えば、建物の開口部（サッシ枠）１の室内側に配置される内障子１０と、室外側に配置される外障子１１からなる。
前記内障子１０は、図１乃至図７に図示されているように、形材の長手方向に交差する面（以下、交差面）２２において、その寸法のみが加工されると共に、前記形材の長手方向に沿って、タッピングホール２３が形成されている左縦框（召合框とも称する）２０及び右縦框（戸先框とも称する）２１と、形材の交差面３２において、その寸法のみが加工されると共に、前記形材の長手方向に沿って、タッピングホール３３が形成されている上横框（以下、上框とも称する）３０及び下横框（以下、下框とも称する）３１と、左右縦框２０，２１の各上端と上框３０の各端部をそれぞれ接続する第１及び第２のコーナーブロック４０，４１と、左右縦框２０，２１の各下端と下框３１の各端部をそれぞれ接続する第３及び第４のコーナーブロック４２，４３とを備えている。
【００１８】
前記開口部１に取付けられる寸法に切断された前記左右縦框２０，２１及び上下框３０，３１は、その後、切欠やネジ孔が形成されることはなく、これらの切欠やネジ孔は、図１乃至図７には図示されていない。
なお、本書において詳述する本願発明の各障子に共通する構成は、共通する用語を用いると共に、各図において略同一に図示して詳細な説明は省略し、必要に応じて同一の符号で示すこととする。
【００１９】
前記左縦框２０は、召合框を構成するもので、図３等のように框本体２４と召合部２４Ａから構成されている。これは前記左縦框２０を框本体２４と召合部２４Ａの２部材にすることにより、それぞれ、形材の長手方向において、所定の寸法で切断加工するのみとしたものである。
【００２０】
前記框本体２４には、第１コーナーブロック４０の差込片４６（詳細は後述）が挿入される差込片挿入部２５と、この差込片挿入部２５の外側を囲み、且つ、外障子１１と係合させる係合部２６が、形材の長手方向に形成されており、前記交差面２２において差込片挿入部２５及び係合部２６の断面が臨まれる。
【００２１】
前記差込片挿入部２５は、前記上框３０に固定された第１コーナーブロック４０の差込片４６を挿入することができる形状に形成されている。
前記差込片挿入部２５の背面には、その長手方向に沿って前記第１のコーナーブロック４０をネジ止めする前記タッピングホール２３が形成されると共に、前記差込片挿入部２５の自由端２５０の間にはガラス板５の端部５０が挿入されるガラス板挿入スペース２７が形成されている。
【００２２】
なお、前記係合部２６は、外障子１１と係合させる係合片（煙返し）２６０と、クレセント２９を取り付ける取付片２６１と、召合部２４Ａを取り付ける取付片２６２を備えている。
【００２３】
前記左縦框２０は上記のように形成され、その交差面２２が含まれる左縦框２０の端部において、切欠やネジ孔が形成されることはない。
【００２４】
前記右縦框２１には、その長手方向に沿って、第２コーナーブロック４１の差込片４６が挿入される差込片挿入部２５と、この差込片挿入部２５の外側に配置された中空部２８が形成されており、前記交差面２２において、前記差込片挿入部２５と中空部２８の断面がそれぞれ臨まれる。
【００２５】
前記右縦框２１の差込片挿入部２５には、その背面の長手方向に沿って前記第２のコーナーブロック４１をネジ止めするタッピングホール２３が形成されると共に、ガラス板挿入スペース２７が形成されている。
【００２６】
前記右縦框２１は上記のように形成され、その交差面２２が含まれる右縦框２１の端部において、切欠やネジ孔が形成されることはない。
【００２７】
前記上框３０は、その長手方向において、一方の端部で第１のコーナーブロック４０を固定すると共に、他方の端部で第２コーナーブロック４１を固定する固定部３４と、前記開口部１に形成されている障子スライド用のガイド６にスライドさせるスライド部３５とを備えており、それぞれ両端の前記交差面３２において、固定部３４とスライド部３５の各断面が臨まれる。
【００２８】
前記固定部３４には、前記第１及び第２のコーナーブロック４０，４１をネジ止めするタッピングホール３３が形成されると共に、ガラス板挿入スペース３６が形成されている。
【００２９】
前記固定部３４は、左右縦框２０，２１のガラス板挿入スペース２７に呑み込まれるように、前記スライド部３５の基部から幅狭の段部となっている。
【００３０】
前記スライド部３５は、前記左右縦框２０，２１の短手方向の幅と略同一の幅を備えており、その幅内で前記ガイド６に沿って移動する内障子１０の揺れ防止は、前記第１及び第２のコーナーブロック４０，４１にそれぞれ形成されているスリット４４６による。
【００３１】
前記上框３０の固定部３４及びスライド部３５は、その交差面３２が含まれる端部において、切欠やネジ孔が加工されることはない。
【００３２】
前記下框３１は、一方の端部で第３のコーナーブロック４２を固定すると共に、他方の端部で第４コーナーブロック４３を固定する固定部３４と、開口部１に形成されている障子スライド用のレール７に走行させる戸車８を取付ける戸車取付部３７とが、形材の長手方向に形成されている。
【００３３】
前記固定部３４には、前記第３及び第４のコーナーブロック４２，４３をネジ止めするタッピングホール３３が形成されると共に、ガラス板挿入スペース３６が形成されている。
前記固定部３４は、左右縦框２０，２１のガラス板挿入スペース部２７に呑み込まれるように、前記戸車取付部３７の基部から幅狭の段部となっている。
【００３４】
前記戸車取付部３７には、その長手方向に戸車取付用の取付ヒレ３７０が形成されている。
この取付ヒレ３７０は、戸車８に設けられているスライド片８０を挟み込んで案内するもので、前記交差面３２に臨んでいる。
よって、戸車８を取り付けるには、前記交差面３２から戸車８のスライド片８０を取付ヒレ３７０に沿って移動させて、スライド片８０に形成されているストッパー８１を前記交差面３２に係止させ、この前記交差面３２と第３のコーナーブロック４２又は第４のコーナーブロック４３でストッパー８１を挟み込むようにすればよい。
なお、第３及び第４のコーナーブロック４２，４３には、ストッパー８１を収容する凹部（図示なし）が形成されている。
【００３５】
前記下框３１の固定部３４及び戸車取付部３７においては、その交差面３２が含まれる端部において、切欠やネジ孔が加工されることはない。
【００３６】
前記第１のコーナーブロック４０は、図３及び図８等に図示したように、前記左縦框２０の框本体２４を固定する縦框固定部４４と、前記上框３０を固定する上框固定部４５からなる。
【００３７】
前記縦框固定部４４は、前記タッピングホール２３に連通するネジ孔４４０が形成され、且つ、前記差込片挿入部２５の交差面２２をカバーする固定板部４４１と、この固定板部４４１の三辺から立ち上がる側面４４２，４４３及び背面４４４と、前記側面４４２，４４３が前記交差面３２に当接することにより構成される当接面４４５を備え、前記背面４４４には上述のスリット４４６が形成されている。
なお、前記縦框固定部４４には、固定板部４４１から延在されて、前記召合部２４Ａの上端をカバーするカバー板４４７が設けられている。
【００３８】
上框固定部４５は、前記固定板部４４１から略直角に折下げられる差込片４６からなり、この差込片４６は、前記上框３０の固定部３４の交差面３２をカバーすると共に、前記タッピングホール３３に連通するネジ孔４５０が形成され、且つ、前記交差面３２の内面に入り込む突起４５１が形成されている。
【００３９】
第２のコーナーブロック４１は、図９のように、前記右縦框２１を固定する縦框固定部４４と、前記上框３０を固定する上框固定部４５からなる。
前記縦框固定部４４は、前記第１のコーナーブロック４０の縦框固定部４４と同様に、ネジ孔４４０、固定板部４４１、側面４４２，４４３及び背面４４４、当接面４４５及びスリット４４６が形成されている。
前記上框固定部４５は、前記第１のコーナーブロック４０の上框固定部４５と同様に、
差込片４６、ネジ孔４５０及び突起４５１が形成されている。
【００４０】
第３のコーナーブロック４２は、図３のように、前記左縦框２０の框本体２４を固定する縦框固定部４７と、前記下框３１を固定する下框固定部４８からなる。
【００４１】
前記縦框固定部４７は、前記タッピングホール２３に連通するネジ孔４７０が形成され、且つ、前記差込片挿入部２５の交差面２２をカバーする固定板部４７１と、この固定板部４７１の三辺から立ち下がる側面４７２，４７３及び背面４７４と、前記側面４７２，４７３が前記交差面３２に当接することにより構成される当接面４７５を備え、前記背面４７４には前記レール７を跨ぐ溝４７６が形成されている。
なお、前記縦框固定部４７には、固定板部４７１から延在されて、前記召合部２４Ａの下端をカバーするカバー板４７７が設けられており、さらに戸車８の調整用の孔４７８が形成されている。
【００４２】
下框固定部４８は、前記固定板部４７１から略直角に折上げられる差込片４６からなり、この差込片４６には前記下框３１の固定部３４の交差面３２をカバーすると共に、前記タッピングホール３３に連通するネジ孔４８０が形成され、且つ、前記交差面３２の内面に入り込む突起４８１が形成されている。
【００４３】
第４のコーナーブロック４３は、図３のように前記右縦框２１を固定する縦框固定部４７と、前記下框３１を固定する下框固定部４８からなる。
前記縦框固定部４７は、前記第３のコーナーブロック４２の縦框固定部４７と同様に、ネジ孔４７０、固定板部４７１、側面４７２，４７３及び背面４７４、当接面４７５及び溝４７６が形成されている。
前記下框固定部４８は、前記第３のコーナーブロック４２の下框固定部４８と同様に、差込片４６、ネジ孔４８０及び突起４８１が形成されている。
【００４４】
上述のように構成された前記内障子１０の左右縦框２０，２１、上框３０及び第１及び第２のコーナーブロック４０，４１において、第１及び第２のコーナーブロック４０，４１の縦框固定部４４の幅と前記上框３０のスライド部３５の短手方向の幅は、上記各図に図示されているように略一致している。前記固定部３４は、左右縦框２０，２１のガラス板挿入スペース２７に呑み込まれるように、前記スライド部３５の基部から幅狭の段部となっている。
また、前記内障子１０の左右縦框２０，２１、下框３１及び第３及び第４のコーナーブロック４２，４３において、第３及び第４のコーナーブロック４２，４３の縦框固定部４７と前記下框３１の戸車取付部３７の短手方向の幅は、上記各図に図示されているように略一致している。また前記固定部３４は、左右縦框２０，２１のガラス板挿入スペース３６に呑み込まれるように、前記戸車取付部３７の基部から幅狭の段部となっている。
よって、第１乃至第４のコーナーブロック４０〜４３を用いて、左右縦框２０，２１及び上下框３０，３１を組付けた場合、例えば前記内障子１０の右縦框２１、上框３０及び第２のコーナーブロック４１の組付状態を図示した図１０のように、各組付個所は、略面一となり、凹凸が形成されずに、従来の上下框と縦框との接合構造とは異なったシンプルな形態となっている。
【００４５】
前記外障子１１は、図１１乃至図１４に図示されているように、形材の交差面２２において、その寸法のみが加工されると共に、前記形材の長手方向に沿って、タッピングホール２３が形成されている左右縦框２０，２１と、形材の交差面３２において、その寸法のみが加工されると共に、前記形材の長手方向に沿って、タッピングホール３３が形成されている上下框３０，３１と、左右縦框２０，２１の各上端と上框３０の各端部をそれぞれ接続する第１及び第２のコーナーブロック４０，４１と、左右縦框２０，２１の各下端と下框３１の各端部をそれぞれ接続する第３及び第４のコーナーブロック４２，４３とを備えている。
これらの前記外障子１１において、召合框を構成する右縦框２１に、内障子１０の左縦框２０の係合片２６０と係合する係合片（煙返し）２６３が形成されていること、これに対応して第２のコーナーブロック４１及び第４のコーナーブロック４３の各側面４４２，４７３が形成されていること、前記左縦框２０には、前記係合部２６が形成されていないこと等が主な相違点となっており、その他は内障子の左右縦框２０，２１、上下框３０，３１、第１、第２、第３及び第４のコーナーブロック４０〜４３と略同様に構成されている。
【００４６】
上述のように前記左右縦框２０，２１には、ガラス板挿入スペース２７の外側に差込片挿入部２５が形成されている。
かかる構成において、図１５のようにガラス板挿入スペース２７にはグレチャンを介してガラス板５の端部５０が固定されているが、強風時の風圧等によりガラス板５が変位して、左右縦框２０，２１からガラス板５が外れてしまうケースの対処も必要である。
そこで、図１５のようにガラス板５の端部５０の変位を防ぐことができる保持部材９を差込片挿入部２５に配置してもよい。
この保持部材９は、差込片挿入部２５に沿うように長尺状のものでもよいし、ピース材としてもよい。
【００４７】
また、前記ガラス板挿入スペース２７の前記自由端２５０の間隔を拡大させるような外力が作用するケースの対処も必要であり、この場合にも、ガラス板５が変位して、左右縦框２０，２１からガラス板５が外れてしまう恐れある。
そこで、図１６（１）のように、ガラス板挿入スペース２７を拡大させるような外力に対して、これを規制できる金具９０を差込片挿入部２５に配置（自由端２５０の折返片２５１に係止）してもよい。
この規制金具９０も差込片挿入部２５に沿うように長尺状のものでもよいし、ピース材としてもよい。
また図１６（２）のように、保持部材９と規制金具９０を長手方向の交互に配置する等して併用してもよい。
【００４８】
以上のような構成を備えた障子の作用効果は、次の通りである。
（１）  前記交差面２２において、その寸法のみが加工される左右縦框２０，２１と前記交差面３２において、その寸法のみが加工される上下框３０，３１に対して、第１、第２、第３及び第４のコーナーブロック４０，４１，４２，４３を用いて、それぞれのタッピングホール２３，３３にネジ止めすればよいので、障子の組付けが容易であり、特別な熟練は不要となっている。
（２）  障子は、前記左右縦框２０，２１、前記上下框３０，３１及び第１、第２、第３及び第４のコーナーブロック４０，４１，４２，４３を備えているので、高額な加工装置を用いて形材等の加工材の両端部分や中間部分の切欠や孔明け等の切削加工を行う必要はなく、そのための設備投資は不要となる。
（３）  建物の施工現場の開口部の寸法変更等のために形材の寸法を短くする必要がある場合であっても、左右縦框２０，２１又は上下框３０，３１の寸法を切断加工すれば足り、切欠き等の再形成は不要である。
（４）  前記下框３１に戸車８を取り付けるには、戸車８のスライド片８０を取付ヒレ３７０に沿って移動させて、スライド片８０に形成されているストッパー８１を前記交差面３２に係止させ、この前記交差面３２と第３のコーナーブロック４２又は第４のコーナーブロック４３でストッパー８１を挟み込むようにすればよいので、前記下框３１に戸車８を取付けるための切欠の形成は不要となっている。
（５）  前記左縦框２０、上框３０及び第１のコーナーブロック４０の組付個所、前記右縦框２１、上框３０及び第２のコーナーブロック４０の組付個所、前記左縦框２０と下框３１及び第３のコーナーブロック４２の組付個所及び前記右縦框２１、下框３１、第４のコーナーブロック４３の組付個所は、それぞれ略面一となり、従来の上框と縦框との接合構造とは異なる形態となっている。
【００４９】
以上のような構成を備えた障子による組付構造は、次の通りである。
前記左縦框２０と上框３０とが第１のコーナーブロック４０により接続され、前記右縦框２１と上框３０とが第２のコーナーブロック４１により接続され、前記左縦框２０と下框３１とが第３のコーナーブロック４２により接続され、前記右縦框２１と下框３１とが第４のコーナーブロック４３により接続されている構造となっている。
【００５０】
以上のように構成された障子の組付方法について、別例の第２のコーナーブロック４１により右縦框２１と上框３０を組み付ける場合を図１７に例示しつつ、説明する。
Ａ  形材を加工する。
左右の縦框２０，２１として、形材の寸法のみを加工し、また上下の横框３０，３１として、形材の寸法のみを加工する。
Ｂ  第１乃至第４のコーナーブロック４０〜４３を用いて左右縦框２０，２１及び上下框３０，３１を固定する。
即ち、前記交差面３２に、第２のコーナーブロック４１の当接面４４５及び差込片４６を当接させつつ、ネジ孔４５０を介してタッピングホール３３にネジ固定する（図１７（１））。
また、縦框２１のガラス板挿入スペース２７に、上框３０の固定部３４を呑み込ませつつ、縦框固定部４４のネジ孔４４０を介して、タッピングホール２３にネジ固定する（図１７（２）及び（３））。
【００５１】
以上のような組付方法の効果は、次の通りである。
（６）  障子を構成する上下框３０，３１、左右縦框２０，２１等の工場出荷時には、それぞれの端部の切欠加工や孔明加工の工程を省略できる。
（７）  また、施工現場において開口部１の寸法変更等が発生しても、上下框３０，３１及び／又は左右縦框２０，２１のそれぞれの端部の切欠加工や孔明加工の工程を省略できる。
【００５２】
本発明は、以上説明した実施形態に限定されるものではなく、多くの変形が本発明の技術的思想内で当分野において、通常の知識を有する者により可能である。
例えば、内外障子１０，１１以外の障子、また障子以外の建具において、上述の発明が解決しようとする課題を抱えている場合に、本発明に係る障子と同様な構成を採用することにより、同課題を解決することができる。
【符号の説明】
【００５３】
１  建物の開口部
１０  内障子
１１  外障子
２０  左縦框                            ２１  右縦框
２２  交差面                            ２３  タッピングホール
２４  框本体                            ２４Ａ  召合部
２５  差込片挿入部
２５０  自由端                          ２５１  折返片
２６  係合部
２６０  係合片                          ２６１  取付片
２６２  取付片                          ２６３  係合片
２７  ガラス板挿入スペース              ２８  中空部
２９  クレセント
３０  上框                              ３１  下框
３２  交差面                            ３３  タッピングホール
３４  固定部                            ３５  スライド部
３６  ガラス板挿入スペース
３７  戸車取付部
３７０  取付ヒレ
４０  第１のコーナーブロック            ４１  第２のコーナーブロック
４２  第３のコーナーブロック            ４３  第４のコーナーブロック
４４  縦框固定部            
４４０  ネジ孔                          ４４１  固定板部
４４２  ４４３  側面                    ４４４  背面
４４５  当接面                          ４４６  スリット
４４７  カバー板
４５  上框固定部
４５０  ネジ孔                          ４５１  突起
４６  差込片
４７  縦框固定部
４７０  ネジ孔                          ４７１  固定板部
４７２  ４７３  側面                    ４７４  背面
４７５  当接面                          ４７６  溝
４７７  カバー板                        ４７８  調整用孔
４８  下框固定部                        ４８０  ネジ孔
４８１  突起
５  ガラス板
５０  端部
６  ガイド
７  レール
８  戸車
８０  スライド片                        ８１  ストッパー
９  保持部材
９０  規制金具
【図１】
2018003397.tif 000003
【図２】
2018003397.tif 000004
【図３】
2018003397.tif 000005
【図４】
2018003397.tif 000006
【図５】
2018003397.tif 000007
【図６】
2018003397.tif 000008
【図７】
2018003397.tif 000009
【図８】
2018003397.tif 000010
【図９】
2018003397.tif 000011
【図１０】
2018003397.tif 000012
【図１１】
2018003397.tif 000013
【図１２】
2018003397.tif 000014
【図１３】
2018003397.tif 000015
【図１４】
2018003397.tif 000016
【図１５】
2018003397.tif 000017
【図１６】
2018003397.tif 000018
【図１７】
2018003397.tif 000019